(57)【要約】  焦電素子を用いて被写体の動きを検出して動作する電子機器において、被写体を、検出漏れを低減して精度良く検出する。電子機器は、熱の変化を感知する焦電素子と、検出部と、制御部と、を備える。検出部は、焦電素子から出力される検出信号に基づき、被写体の動きを検出する。制御部は、検出部の検出結果に基づいて、検出部の検出感度を設定する。検出感度は、低感度または高感度に設定される。制御部は、検出部が被写体の動きを検出したとき、検出感度を高感度に設定する。制御部は、検出感度が高感度の状態において、検出部が被写体の動きを検出せずに所定期間が経過したとき、検出感度を低感度に設定する。
2016157723.tif 000002
【特許請求の範囲】
【請求項１】
被写体の動きを検出し、前記検出の結果に応じて動作する電子機器であって、
焦電効果に基づいて熱の変化を感知する焦電素子と、
前記焦電素子から出力される検出信号に基づき、被写体の動きを検出する検出部と、
前記検出部の検出結果に基づいて、前記検出部の検出感度を設定する制御部と、を備え、
前記検出感度は、低感度または前記低感度よりも感度が高い高感度に設定され、
前記制御部は、
前記検出部が前記被写体の動きを検出したとき、前記検出感度を前記高感度に設定し、
前記検出感度が前記高感度の状態において、前記検出部が前記被写体の動きを検出せずに所定期間が経過したとき、前記検出感度を前記低感度に設定する、
電子機器。
【請求項２】
前記制御部は、
前記検出感度が前記低感度の状態において、前記検出部が前記被写体の動きを検出したとき、前記検出感度を前記高感度に切り替え、
前記検出感度が前記高感度の状態において、前記検出部が前記被写体の動きを検出したとき、前記検出感度を前記高感度に維持する、
請求項１に記載の電子機器。
【請求項３】
前記制御部は、前記検出部が前記被写体の動きを検出したときに起動する、
請求項１に記載の電子機器。
【請求項４】
前記制御部は、前記所定期間が経過して前記検出感度を前記低感度に設定したとき、前記電子機器の動作を停止させる、
請求項１に記載の電子機器。
【請求項５】
前記所定期間が経過して前記検出感度が前記低感度に設定されたとき、前記検出感度が前記低感度に設定されたことを示す情報が出力される、
請求項１に記載の電子機器。
【請求項６】
前記制御部は、前記焦電素子から出力される検出信号の増幅率を変更することにより、前記検出感度を前記低感度または高感度に設定する、
請求項１に記載の電子機器。
【請求項７】
前記検出部は、前記検出信号の電圧を所定の閾値電圧と比較することにより、前記被写体の動きを検出し、
前記制御部は、前記閾値電圧を変更することにより、前記検出感度を前記低感度または高感度に設定する、
請求項１に記載の電子機器。
【請求項８】
温度を測定する温度センサをさらに備え、
前記制御部は、前記温度センサによって測定された温度に応じて、前記検出感度を補正する、
請求項１に記載の電子機器。
【請求項９】
前記電子機器は、画像を表示する表示装置を構成する、
請求項１に記載の電子機器。
【請求項１０】
焦電効果に基づいて熱の変化を感知する焦電素子と、
前記焦電素子から出力される検出信号に基づき、被写体の動きを検出する検出部と、
前記検出部の検出結果に基づいて、前記検出部の検出感度を設定する感度設定部と、を備え、
前記検出感度は、低感度または前記低感度よりも感度が高い高感度に設定され、
前記感度設定部は、
前記検出部が前記被写体の動きを検出したとき、前記検出感度を前記高感度に設定し、
前記検出感度が前記高感度の状態において、前記検出部が前記被写体の動きを検出せずに所定期間が経過したとき、前記検出感度を前記低感度に設定する、
焦電センサ。
【発明の詳細な説明】
【技術分野】
【０００１】
本開示は、焦電センサおよび焦電センサを備えた電子機器に関する。
【背景技術】
【０００２】
焦電センサは、人体等の熱源から発せられる赤外線により分極する焦電素子を用いた熱センサの一種である。焦電センサを電子機器に搭載して、電子機器の利用者等の人の有無を検出して自動的に電子機器を動作させる技術が知られている。【０００３】
焦電センサの実用例には、トイレ等の照明への採用例がある。この実用例における焦電センサの使用方法は次のようなものである。人がいない通常時には、焦電センサに通電して焦電センサを待機状態にし、この間は照明が消灯する。人が近づくと焦電センサに起電力が発生して照明が点灯する。その後の一定期間中に焦電センサが人を感知しなければ、照明は消灯して焦電センサは待機状態に戻る。【０００４】
また、特許文献１は、表示装置を開示する。この表示装置は、テレビ番組等を録画するレコーダにおける時刻表示やチャンネルの表示等に使用される表示素子の点灯／消灯を制御することで、待機中の消費電力を低減することができる。特許文献１の表示装置では、焦電センサとタイマーが利用されており、焦電センサがユーザを感知して表示素子の電源を入れるとともにタイマーのスイッチを入れ、タイマーが一定時間を計測した後に、表示素子の電源を切る。【０００５】
上記のような焦電センサを備える照明または表示装置では、自動点灯によってユーザの利便性を向上でき、また、自動消灯によって省電力化を図ることができる。
【先行技術文献】
【特許文献】
【０００６】
【特許文献１】特開平１０−０４９０９４号公報
【発明の概要】
【０００７】
従来技術では、焦電センサの感知エリア内に人が居た場合でも、人が大きく動かなければ焦電センサが感知せず、人の小さい動きが検出され難いという問題があった。このため、例えば人が焦電センサに感知されずに照明が消灯した場合、その人は、照明を再度点灯させるために、体を大きく動かさなければならないといった事態を生じていた。
【０００８】
本開示は、焦電素子を用いて被写体の動きを検出して動作する電子機器および焦電センサにおいて、被写体を、検出漏れを低減して精度良く検出することができる電子機器および焦電センサを提供する。
【０００９】
本開示における電子機器は、被写体の動きを検出し、その検出の結果に応じて動作する電子機器である。電子機器は、焦電素子と、検出部と、制御部と、を備える。焦電素子は、焦電効果に基づいて熱の変化を感知する。検出部は、焦電素子から出力される検出信号に基づき、被写体の動きを検出する。制御部は、検出部の検出結果に基づいて、検出部の検出感度を設定する。検出感度は、低感度または低感度よりも感度が高い高感度に設定される。制御部は、検出部が被写体の動きを検出したとき、検出感度を高感度に設定する。制御部は、検出感度が高感度の状態において、検出部が被写体の動きを検出せずに所定期間が経過したとき、検出感度を低感度に設定する。
【００１０】
本開示における電子機器は、検出部が焦電素子からの検出信号に基づき被写体の動きを検出すると、検出感度が高感度に設定される。これにより、焦電素子を用いて被写体の動きを検出して動作する電子機器において、被写体を、検出漏れを低減して精度良く検出することができる。
【図面の簡単な説明】
【００１１】
【図１Ａ】図１Ａは、実施の形態１における表示装置の正面側の外観の一例を模式的に示す図である。
【図１Ｂ】図１Ｂは、実施の形態１における表示装置の背面側の外観の一例を模式的に示す図である。
【図２】図２は、実施の形態１における表示装置の一構成例を模式的に示すブロック図である。
【図３】図３は、実施の形態１における表示装置が低感度モードのときの検出信号の一例を示す波形図である。
【図４】図４は、実施の形態１における表示装置が高感度モードのときの検出信号の一例を示す波形図である。
【図５】図５は、実施の形態１における表示装置で実行される検出感度の切り替え動作の一例を示す波形図である。
【図６】図６は、実施の形態１における表示装置で実行される検出感度の切り替え動作の一例を示すフローチャートである。
【図７】図７は、実施の形態１における表示装置で表示される、高感度モードから低感度モードへの切り替え時の表示画像の一例を示す図である。
【図８】図８は、実施の形態１における表示装置で実行される検出感度の切り替え動作の変形例を示す波形図である。
【図９】図９は、実施の形態２における表示装置の一構成例を模式的に示すブロック図である。
【図１０】図１０は、実施の形態２における表示装置の焦電センサで検出される、低温時および高温時の検出信号の一例を示す波形図である。
【図１１】図１１は、実施の形態２における表示装置に設定された温度に応じた検出感度の較正曲線の一例を示すグラフである。
【図１２】図１２は、実施の形態の変形例１における電子機器の一構成例を模式的に示すブロック図である。
【図１３】図１３は、実施の形態の変形例２における電子機器および焦電センサの一構成例を模式的に示すブロック図である。
【発明を実施するための形態】
【００１２】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１３】
なお、添付図面および以下の説明は、当業者が本開示を十分に理解するために提供されるのであって、これらにより特許請求の範囲に記載の主題を限定することは意図されていない。
【００１４】
また、各図は、模式図であり、必ずしも厳密に図示されたものではない。また、各図において、実質的に同じ構成要素については同じ符号を付し、説明を省略または簡略化する場合がある。
【００１５】
（実施の形態１）
以下、図１Ａ〜図８を用いて、実施の形態１を説明する。
【００１６】
［１−１．構成］
［１−１−１．概要］
実施の形態１では、焦電センサを搭載した電子機器の一例として、テレビジョン受像機（以下、「テレビ」という）等の表示装置の例を説明する。本実施の形態における表示装置１は、焦電センサ２を用いた自動オンオフ機能を備える。自動オンオフ機能が働くことにより、表示装置１では、ユーザの有無に応じて、画像の表示面が点灯した「動作状態」と、その表示面が消灯した「待機状態」と、の２つの状態が自動で切り替えられる。
【００１７】
実施の形態１における表示装置１の概要について、図１Ａ、図１Ｂを用いて説明する。
【００１８】
図１Ａは、実施の形態１における表示装置１の正面側の外観の一例を模式的に示す図である。図１Ｂは、実施の形態１における表示装置１の背面側の外観の一例を模式的に示す図である。なお、図１Ｂは、バックカバーを外した状態の表示装置１の背面側を示しており、表示装置１の内部を模式的に示している。
【００１９】
なお、表示装置１の正面側とは、表示装置１の表示部１０１に画像が表示される側のことである。
【００２０】
図１Ａに示すように、表示装置１の正面側、すなわち画像表示面側には、表示部１０１と、レンズ１０２で覆われた焦電センサ２と、が配置されている。
【００２１】
図１Ｂに示すように、表示装置１の背面側（内部）には、表示装置１の主要な機能が実装された信号処理基板１０３と、焦電センサ２が実装された前面基板１０４と、が配置されている。信号処理基板１０３と前面基板１０４とは、相互に接続されている（図示せず）。また、前面基板１０４は、表示面側のレンズ１０２と対応するように、表示部１０１の周縁に収まる形状（例えば、短辺が１０ｍｍ程度の細長い矩形状）を有する。なお、表示装置１内には、信号処理基板１０３および前面基板１０４以外の基板が存在してもよい。
【００２２】
なお、以下では、本実施の形態に開示する技術に直接的な関連がない（または、関連が低い）回路および機器については、図示およびその説明を省略する。
【００２３】
表示装置１では、表示装置１を使用するユーザに対して焦電センサ２が目立たないようにするため、表示部１０１の周縁の幅１０ｍｍ程度の比較的狭い領域に、焦電センサ２が配置される。これにより、表示装置１で自動オンオフ機能が実施される際に、ユーザが監視されていると感じる感覚を軽減することができる。
【００２４】
焦電センサ２を目立たないようにするためには、焦電センサ２の小型化、および小型化に伴うノイズ対策が求められる。表示装置１では、焦電センサ２を用いた人の動きの検出結果に応じて、焦電センサ２の検出感度が変化する。これにより、表示装置１では、小型の焦電センサ２を用いながら精度良くユーザを検出することができる。なお、表示装置１では、焦電センサ２によって赤外線が感知される被写体として、ユーザを含む人が想定されている。しかし、本実施の形態において、被写体は人に限定されない。被写体は、赤外線等を発するあらゆる熱源であってもよく、例えば動物であってもよい。
【００２５】
［１−１−２．表示装置の構成］
本実施の形態における表示装置１の構成について、図１Ａ〜図２を参照して説明する。
【００２６】
図２は、実施の形態１における表示装置１の一構成例を模式的に示すブロック図である。
【００２７】
図２に示すように、表示装置１は、表示部１０１と、焦電センサ２と、検出部２００と、制御部２０７と、主記憶装置２０８と、第２のスイッチ２０９と、表示用電源２１０と、を備える。
【００２８】
焦電センサ２を構成する焦電素子２０１と第１のアンプ２０２とは、前面基板１０４上に設けられている。
【００２９】
検出部２００は、第２のアンプ２０３と、第１のスイッチ２０４と、検出回路２０５と、を備えて構成される。第２のアンプ２０３と、第１のスイッチ２０４と、検出回路２０５と、タイマー２０６を内蔵した制御部２０７と、主記憶装置２０８と、第２のスイッチ２０９とは、信号処理基板１０３上に設けられている。
【００３０】
表示部１０１は、例えば液晶ディスプレイ、または有機エレクトロルミネッセンスディスプレイ、等で構成される。
【００３１】
焦電センサ２は、レンズ１０２と、焦電素子２０１と、第１のアンプ２０２と、を備える。レンズ１０２は、例えばフレネルレンズで構成される。焦電素子２０１は、赤外線吸収フィルタ、焦電体、およびトランジスタを備えて構成される。焦電素子２０１では、正負の電極が交互に並んで配置される。焦電センサ２では、焦電センサ２の視野である領域（感知エリア）からの光が、レンズ１０２を介して、焦電素子２０１の正負どちらかの電極に映るように配置される。焦電素子２０１は、赤外線により焦電体が分極する焦電効果に基づき、熱の変化を感知する。そして、焦電素子２０１は、表示装置１の正面側の感知エリアにおける人体の動きおよびその人体の周囲の熱揺らぎに応じて、信号を出力する。したがって、焦電素子２０１の出力信号の波形には、人の動きに起因する成分だけでなく、検知対象となる人体の周囲の熱揺らぎの影響によるノイズ成分も含まれている（図３〜図５参照）。
【００３２】
なお、感知エリアは、例えば、表示装置１の表示部１０１に表示される画像を視聴するユーザがいる場合に、そのユーザがいると想定される範囲に設定されているものとする。
【００３３】
焦電素子２０１の出力信号は、第１のアンプ２０２で増幅される。そして、増幅された出力信号が検出信号として焦電センサ２から検出部２００に出力される。第１のアンプ２０２は、例えばオペアンプで構成され、千倍〜１０万倍の所定の増幅率を有する。以下、一例として、第１のアンプ２０２の増幅率が１万倍に設定された構成例を示す。
【００３４】
検出部２００は、焦電センサ２からの検出信号に基づいて人（被写体）の動きを検出する。検出部２００において、検出信号は、第２のアンプ２０３と、２つの接点を有する第１のスイッチ２０４の一方の接点と、にそれぞれ入力される。第１のスイッチ２０４の他方の接点は第２のアンプ２０３の出力端子に接続され、第１のスイッチ２０４の出力端子は検出回路２０５の入力端子に接続されている。第２のアンプ２０３は、例えばオペアンプで構成され、１．５倍〜１５倍等の所定の増幅率を有する。以下、一例として、第２のアンプ２０３の増幅率が３倍に設定された構成例を示す。
【００３５】
第１のスイッチ２０４は、制御部２０７からの制御信号によりスイッチング動作が制御される。第１のスイッチ２０４は、第１のアンプ２０２および第２のアンプ２０３で３万倍に増幅された高増幅率の検出信号と、第１のアンプで１万倍に増幅された低増幅率の検出信号とのいずれか一方を検出回路２０５に通す。
【００３６】
検出回路２０５は、コンパレータおよびリファレンス電圧源（図示せず）、等を備えて構成される。検出回路２０５は、第１のスイッチ２０４を通った検出信号の電圧を、閾値電圧Ｓ１および閾値電圧Ｓ２（Ｓ１＞Ｓ２）のそれぞれと比較する（図３〜図５参照）。検出回路２０５は、検出信号の電圧が、上側の閾値電圧Ｓ１よりも高い場合、または下側の閾値電圧Ｓ２よりも低い場合、人の動きを検出した検出結果を示す検出結果信号を出力する。
【００３７】
制御部２０７は、例えばＣＰＵ（Ｃｅｎｔｒａｌ  Ｐｒｏｃｅｓｓｉｎｇ  Ｕｎｉｔ）で構成され、表示装置１の動作全体を制御する。制御部２０７は、ソフトウェアと協働して所定の機能を実現する。例えば、制御部２０７は、表示部１０１の点灯制御（表示する画像の生成を含む）、第１のスイッチ２０４および第２のスイッチ２０９のスイッチング制御、タイマー２０６の制御、等の機能を実現する。
【００３８】
タイマー２０６は、制御部２０７が表示装置１を起動したときに、タイマー２０６にあらかじめ設定された設定期間の計測を開始する。タイマー２０６の設定期間は、任意の期間に設定可能である。例えば、ユーザにより設定期間が設定されてもよい。そして、タイマー２０６は、検出部２００が人の動きを検出したときに、検出部２００からの検出結果信号に基づき、計測中の時間（以下、「計測期間」という）がリセットされる。
【００３９】
主記憶装置２０８は、表示装置１の機能を実現するために必要なプログラムおよびデータを記憶する記憶媒体であり、例えばＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、フラッシュメモリ、等の半導体デバイスで構成される。また、主記憶装置２０８は、データを一時的に記憶するとともに制御部２０７の作業エリアとして機能してもよい。
【００４０】
表示用電源２１０は、表示装置１における表示部１０１および制御部２０７に電力を供給する電源である。表示部１０１および制御部２０７と、表示用電源２１０との間には、第２のスイッチ２０９が接続されている。
【００４１】
第２のスイッチ２０９は、検出部２００からの検出結果信号によってオフ（表示用電源２１０からの電力が、制御部２０７と表示部１０１とに供給されない状態）からオン（表示用電源２１０からの電力が、制御部２０７と表示部１０１とに供給される状態）に切り替わる。これによって、表示用電源２１０は表示部１０１および制御部２０７に接続される。また、タイマー２０６による計測期間が設定期間に到達すると、第２のスイッチ２０９は、制御部２０７からの制御信号によってオンからオフに切り替わる。
【００４２】
第２のスイッチ２０９がオンの状態のとき、制御部２０７および表示部１０１に表示用電源２１０から電力が供給されるので、制御部２０７が動作し、表示部１０１は点灯可能になる。この状態が、表示装置１における動作状態である。第２のスイッチ２０９がオフの状態のとき、制御部２０７および表示部１０１に表示用電源２１０から電力が供給されないので、制御部２０７は動作を停止し、表示部１０１は消灯する。この状態が、表示装置１における待機状態である。
【００４３】
なお、焦電素子２０１および第１のアンプ２０２を含む焦電センサ２と、第２のアンプ２０３を含む検出部２００と、主記憶装置２０８と、には、表示用電源２１０とは別に設けられた他の電源部（図示せず）から、電力が供給されている。本実施の形態において、表示装置１が待機状態のとき、表示用電源２１０から制御部２０７および表示部１０１への電力供給は停止する。しかし、他の電源部（図示せず）から焦電センサ２、検出部２００、および主記憶装置２０８への電力供給は継続する。これにより、制御部２０７が起動してから表示装置１が動作するまでに費やす時間を大幅に短縮することができる。
【００４４】
以上の説明では、制御部２０７がＣＰＵで構成される例について説明した。しかし、制御部２０７は、ＣＰＵに限定されず、所定の機能を実現するように設計された専用の電子回路や再構成可能な電子回路等のハードウェア回路で構成されてもよい。制御部２０７は、ＭＰＵ（Ｍｉｃｒｏ  Ｐｒｏｃｅｓｓｉｎｇ  Ｕｎｉｔ）、マイクロコンピュータ、ＤＳＰ（Ｄｉｇｉｔａｌ  Ｓｉｇｎａｌ  Ｐｒｏｃｅｓｓｏｒ）、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、等の種々の半導体集積回路で構成されてもよい。
【００４５】
［１−２．動作］
以下、本実施の形態における表示装置１の動作について説明する。
【００４６】
［１−２−１．自動オンオフ機能について］
まず、本実施の形態における表示装置１の自動オンオフ機能について説明する。本実施の形態における表示装置１は、自動オン機能と自動オフ機能とを有する。なお、本実施の形態では、自動オン機能と自動オフ機能とをまとめて自動オンオフ機能という。表示装置１は、表示装置１に人が近づくと自動的に表示装置１が起動して動作状態になる。この機能が自動オン機能である。また、表示装置１は、表示装置１の付近から人がいなくなると自動的に表示装置１が動作状態から待機状態に切り替わる。この機能が自動オフ機能である。表示装置１の付近の人の検出は、焦電センサ２を用いて行われる（図１Ａ〜図２参照）。
【００４７】
なお、表示装置１の付近とは、人が表示装置１の表示部１０１に表示される画像を視聴できる範囲のことであり、感知エリアに実質的に等しい。したがって、表示装置１の背面側のエリア等は表示装置１の付近に含まれない。また、自動オン機能が実行されることで、第１のスイッチ２０４は第２のアンプ２０３の出力端子側にスイッチングされ、第２のスイッチ２０９はオンになる。また、自動オフ機能が実行されることで、第１のスイッチ２０４は第１のアンプ２０２の出力端子側にスイッチングされ、第２のスイッチ２０９はオフになる。これらの動作の詳細は後述する。
【００４８】
図３〜図５は、焦電センサ２からの検出信号の波形を例示する波形図である。
【００４９】
図３〜図５において、縦軸は電圧Ｖであり、横軸は時間Ｔであり、Ｖ０は検出信号の基準電圧である。
【００５０】
図３〜図５は、焦電センサ２が、表示装置１の付近における熱源を感知することにより、検出部２００に出力する検出信号の波形例を示している（詳細は後述する）。図３〜図５に示すように、検出信号の電圧は、基準電圧Ｖ０を中心に上下（正方向と負方向）に変動する。焦電センサ２の焦電素子２０１が熱の変化を感知していないとき、検出信号の電圧は実質的に基準電圧Ｖ０になる。第１のアンプ２０２および第２のアンプ２０３は、検出信号の振幅を増幅するように動作する。各アンプの入力信号と出力信号の基準電圧は互いに異なってもよい。本実施の形態では、各アンプによる増幅後の基準電圧がＶ０であることとする。
【００５１】
図３〜図５に示すように、検出部２００の検出回路２０５には、基準電圧Ｖ０の上下のそれぞれに、閾値電圧Ｓ１と閾値電圧Ｓ２とが設定されている。検出部２００は、検出信号の電圧が、閾値電圧Ｓ１よりも高い電圧の領域または閾値電圧Ｓ２よりも低い電圧の領域（以下、「検出領域」という）に到達したことを検出すると、所定の検出結果信号を第２のスイッチ２０９に出力する。
【００５２】
これにより、第２のスイッチ２０９はオンとなり、制御部２０７は表示用電源２１０に接続され、制御部２０７に電力が供給されて、制御部２０７が起動する。また、表示部１０１も表示用電源２１０に接続されるため、表示部１０１にも電力が供給され、表示部１０１による画像の表示が開始される。このようにして、自動オン機能が実行される。
【００５３】
また、検出信号の電圧が検出領域に達したときには、検出部２００は制御部２０７のタイマー２０６にも検出結果信号を送信する。これにより、タイマー２０６による時間の計測が開始される。タイマー２０６による計測期間があらかじめ設定された設定期間に達して時間の計測が完了すると、制御部２０７は第２のスイッチ２０９をオフにして、表示装置１の自動オフ機能を実行する。これにより、表示装置１は待機状態となる。一方、タイマー２０６による時間の計測中に、すなわち表示部１０１が点灯しているときに、再び検出信号の電圧が検出領域に達したことを検出部２００が検出すると、制御部２０７はタイマー２０６をリセットし、タイマー２０６は初期状態から時間の計測を再開する。これにより、表示部１０１の点灯状態を維持する制御がなされる。
【００５４】
［１−２−２．焦電センサのノイズ対策について］
以上のように、表示装置１の自動オンオフ機能は、焦電センサ２を用いて表示装置１の付近の人を検出することにより実行される。しかし、焦電センサ２は熱源の動きを捉えるセンサであるため、小さな動きを検出して出力を得ることは難しい。また、焦電センサ２は、人間に限らず熱の揺らぎを感知するため、人の背景の熱揺らぎに埋もれるような、相対的に小さな動き（人の動き）を検出することは困難である。
【００５５】
また、焦電素子２０１の出力信号は非常に小さいため、その出力信号は、焦電素子２０１の後段で数千倍〜数万倍に増幅されて利用される。その際、出力信号のシグナルノイズ比（Ｓ／Ｎ比）が小さいと、増幅後の信号波形にもノイズが顕著に現れる。また、焦電センサ２の感知エリアにおける人の背景の熱揺らぎ、焦電センサ２の周囲の熱揺らぎ、および焦電センサ２の焦電素子２０１本体の温度、等もノイズの原因となる。また、焦電センサ２に含まれる回路や配線等で発生するホワイトノイズもノイズとして存在する。しかし、ホワイトノイズは、出力信号をローパスフィルタに通すことにより、ある程度除去することができる。よって、焦電センサ２を用いた人の検出において問題となるノイズは、人の背景の熱揺らぎによるノイズである。
【００５６】
人（被写体）の小さな動きに対して、焦電素子２０１の出力信号のＳ／Ｎ比を向上させる方法としては、以下のように、いくつかの手法が考えられる。
【００５７】
第一例は、より大きな焦電素子２０１を焦電センサ２に使用することである。
【００５８】
第二例は、より大きなレンズを焦電センサ２に使用して焦電素子２０１への集光率を高めることである。
【００５９】
第三例は、より多くのレンズを焦電センサ２に使用して、焦電素子２０１の領域分割数を増やす（１つのレンズが担当する検出エリアをより狭くする）ことである。
【００６０】
第四例は、焦電センサ２を、検出の対象に近づけることである。
【００６１】
上記の方法のそれぞれで、被写体の小さな動きに対する焦電センサ２の感度を高めることができる。なお、焦電素子２０１の変換効率、レンズの透過率、等の要素は、ここでは、Ｓ／Ｎ比を向上させる方法に含めないこととする。
【００６２】
以上のように、焦電センサ２のノイズ対策には複数の手法がある。しかし、上記の第四例以外の方法は、いずれも焦電センサ２の大型化とコストアップが伴う。一方、第四例については、例えば表示装置１のような、装置を使用するときのユーザの位置が定まっていない電子機器に対しては、適用が困難である。
【００６３】
また、焦電センサ２の大型化は、焦電センサ２が付随する商品のデザインに影響を与える。例えば表示装置１が、表示部１０１の周縁の幅が極めて細いテレビであれば、表示装置１に焦電センサ２を搭載する場合、表示部１０１の周縁の幅に応じた小型の焦電センサ２が必要である。
【００６４】
表示装置１に大型の焦電センサ２を用いることができれば、焦電素子２０１の出力信号に対する増幅率を数千倍程度に抑制できる。この場合、増幅率が抑制されることでＳ／Ｎ比が相対的に向上し、ノイズによる誤検出が生じる可能性が低減される。しかし、上述したように、デザイン上の制限等で、焦電センサ２のサイズを小型化しなければならない場合、焦電素子２０１の出力信号におけるＳ／Ｎ比の向上は、大型の焦電センサ２を使用する場合と比較して困難であり、ノイズによって誤検出が生じる可能性が増大する。
【００６５】
そこで、本実施の形態では、表示装置１において自動オンオフ機能を実行する際に、検出部２００における人の動きの検出感度が互いに異なる低感度モードと高感度モードの２つの検出モードを用いる。以下、表示装置１の検出部２００における低感度モードと高感度モードについて説明する。
【００６６】
［１−２−３−１．低感度モードについて］
本実施の形態の表示装置１の検出部２００における低感度モードについて、図３を用いて説明する。
【００６７】
図３は、実施の形態１における表示装置１が低感度モードのときの検出信号の一例を示す波形図である。
【００６８】
図３において、時刻Ｔ３０から時刻Ｔ３１までの期間３０１は、表示装置１の付近に人がいない状態（動きなし）を示している。時刻Ｔ３１から時刻Ｔ３４までの期間３０２は、人が表示装置１の前に移動してくる等して、熱源に大きな動きが生じた状態（大きな動きあり）を示している。時刻Ｔ３４以降の期間３０３は、人が表示装置１を視聴するために移動を停止する等して、熱源の動きが相対的に小さい状態（視聴中）を示している。
【００６９】
表示装置１が低感度モードのとき、焦電素子２０１の出力信号は第１のアンプ２０２のみで増幅（例えば、１万倍に増幅）される。以下、焦電素子２０１の出力信号が第１のアンプ２０２のみで増幅されるときの増幅率を「低増幅率」という。そして、検出部２００は、低増幅率で増幅された検出信号に基づき検出動作を行う。低感度モードにおける検出部２００は、低増幅率に応じた検出感度を有する。
【００７０】
図３に示すように、表示装置１の付近に人がいない期間３０１では、検出信号の電圧は基準電圧Ｖ０近傍にある。ただし、検出信号の電圧は、ノイズによって基準電圧Ｖ０から上下にわずかに変動している。一方、人（熱源）の大きな動きがある期間３０２では、検出信号の電圧は、時刻Ｔ３２に生じたピーク（検出信号の波形における変化点）Ｐ３２を含む期間３０４において、閾値電圧Ｓ２よりも低くなり、検出領域に達している。また、時刻Ｔ３３に生じたピークＰ３３を含む期間３０５では、検出信号の電圧は、閾値電圧Ｓ１よりも高くなり、検出領域に達している。
【００７１】
このとき、検出部２００は、第１のアンプ２０２で増幅された焦電素子２０１の出力信号を検出信号として検出する。そして、検出信号の電圧が検出領域に達したことを検出した検出部２００は、第２のスイッチ２０９を制御して表示部１０１を表示用電源２１０に接続し、タイマー２０６による時間の計測を開始する。
【００７２】
通常、表示装置１を視聴中の人の動きは、表示装置１の前に歩いてくる人の動き等と比較して小さい。このため、人が表示装置１を視聴中の期間３０３では、検出信号の電圧は、その人のわずかな体の動きに応じて、時々小さく変動してはいるが、閾値電圧Ｓ１と閾値電圧Ｓ２との間の領域を超えて検出領域に達してはいない。
【００７３】
以上のように、表示装置１が低感度モードのとき、検出部２００は、検出信号にノイズが重畳してはいるが、例えば期間３０２中に生じた人の歩行等による熱源の大きな動きを検出することができる。したがって、表示装置１において、自動オン機能は適切に働くと考えられる。
【００７４】
しかし、人が表示装置１を視聴中の期間３０３においても低感度モードが継続されると、表示装置１を視聴中の人のわずかな動きのような、比較的小さい熱源の動きを、検出部２００が検出できない（すなわち、検出漏れが生じる）可能性がある。そのような場合、人が表示装置１を視聴中であるにも関わらず、タイマー２０６がリセットされず、タイマー２０６に設定された設定期間が経過して自動オフ機能が働き、表示部１０１が消灯する場合がある。このように、低感度モードが継続されることで、自動オフ機能の誤動作が生じる可能性がある。
【００７５】
［１−２−３−２．高感度モードについて］
次に、検出部２００における高感度モードについて、図４を用いて説明する。図４は、実施の形態１における表示装置１が高感度モードのときの検出信号の一例を示す波形図である。
【００７６】
図４において、時刻Ｔ４０から時刻Ｔ４２までの期間４０１と、時刻Ｔ４５以降の期間４０３とは、表示装置１の付近に人がいない状態（無人）を示している。また、時刻Ｔ４２から時刻Ｔ４５までの期間４０２は、人が表示装置１を視聴している状態（視聴中）を示している。
【００７７】
表示装置１が高感度モードのとき、焦電素子２０１の出力信号は、第１のアンプ２０２および第２のアンプ２０３の双方で増幅（例えば、３万倍に増幅）される。以下、焦電素子２０１の出力信号が第１のアンプ２０２および第２のアンプ２０３の双方で増幅されるときの増幅率を「高増幅率」という。そして、検出部２００は、高増幅率で増幅された検出信号に基づき検出動作を行う。高感度モードにおける検出部２００の検出感度は、高増幅率と低増幅率との増幅率の差に応じて検出感度が高められており、低感度モードの検出感度よりも高い。
【００７８】
図４に示すように、高感度モードのとき、人が表示装置１を視聴中の期間４０２では、時刻Ｔ４３に生じたピークＰ４０５およびその近傍と、時刻Ｔ４４に生じたピークＰ４０６およびその近傍とのそれぞれにおいて、検出信号の電圧は閾値電圧Ｓ１よりも高くなり検出領域に達している。このように、高感度モードでは、検出部２００は、表示装置１を視聴中の人のわずかな動きであっても、検出することができる。
【００７９】
また、期間４０２には、検出信号の電圧が、ピークＰ４０５を過ぎて閾値電圧Ｓ１以下になってから、ピークＰ４０６の手前で閾値電圧Ｓ１より大きくなるまでの期間、すなわち、検出信号の電圧が継続して閾値電圧Ｓ１以下になる時間間隔４０７、が生じている。表示装置１では、自動オフ機能の誤動作が起こる可能性を低減するために、すなわち、時間間隔４０７の間にタイマー２０６に設定された設定期間が経過して自動オフ機能が働くことがないように、タイマー２０６の設定期間は十分に長く設定される（例えば、１０分）。これにより、タイマー２０６による計測期間が設定期間に達する前に、タイマー２０６の計測期間がリセットされる可能性を高めることができるので、人が表示装置１の表示部１０１を視聴中に表示部１０１が消灯するといった自動オフ機能の誤動作を抑制できる。
【００８０】
一方、高感度モードでは、表示装置１の付近に人がいない期間４０１であっても、時刻Ｔ４１を含む期間４０４のように、検出信号のノイズ成分が検出領域に達する可能性がある。この場合、自動オン機能が働き、表示装置１は自動的に起動する。このとき、検出信号の電圧が検出領域外（すなわち、閾値電圧Ｓ２以上かつ閾値電圧Ｓ１以下）になってから再度検出領域に達するまでの時間間隔が、タイマーに設定された設定期間よりも長ければ、表示装置１では自動オフ機能が働く。
【００８１】
このように、表示装置１では、常に高感度モードで検出部２００の検出動作が行われると、わずかな熱の揺らぎが検出部２００で検出される等して検出信号のノイズ成分が検出領域に達する毎に自動オン機能が働く可能性があるので、表示装置１の周辺に人がいない状態であっても、自動オン機能と自動オフ機能が繰り返されるおそれがある。
【００８２】
［１−２−３−３．検出感度の切り替え動作について］
上述したとおり、表示装置１において、低感度モードのときの検出部２００は、人（熱源）の相対的に大きな動きのみを検出して自動オン機能を適切に働かせることができる。しかし、一方で、低感度モードのときの検出部２００は、人（熱源）の相対的に小さな動きを検出することが難しいため、自動オフ機能の誤動作（表示装置１を視聴する人が感知エリア内に居るにもかかわらず、その人を検出できず表示装置１が待機状態になる）を生じる可能性が高い。
【００８３】
逆に、表示装置１において、高感度モードのときの検出部２００は、人（熱源）の相対的に小さな動きを検出することが可能なため、表示装置１を視聴中の人の小さな動きを適切に検出して自動オフ機能の誤動作を抑制することが可能である。しかし、一方で、高感度モードのときの検出部２００は、感知エリアにおける熱揺らぎを検出し、自動オン機能の誤動作（表示装置１を視聴する人が感知エリア内にいないにもかかわらず、ノイズが誤検出されて表示装置１が動作状態になる）を生じる可能性がある。
【００８４】
このように、表示装置１では、低感度モードのみでの検出動作、または高感度モードのみでの検出動作が行われると、自動オンオフ機能が適切に働かない可能性がある。
【００８５】
そこで、本実施の形態における表示装置１では、表示装置１の消灯時および点灯時のそれぞれで、低感度モードと高感度のモードとを自動で切り替えることとする。これにより、表示装置１において精度良く自動オンオフ機能を実施することができ、表示装置１を省電力化できる。以下、図５、図６を参照して、表示装置１における検出感度の切り替え動作について説明する。
【００８６】
図５は、実施の形態１における表示装置１で実行される検出感度の切り替え動作の一例を示す図である。なお、図５において、上段の図は、表示装置１の検出部２００における検出信号の波形の一例を示す図である。図５の下段の図は、検出信号に基づき発生される、第１のスイッチ２０４を制御する制御信号のタイミングチャートの一例を示す図である。
【００８７】
なお、図５の下段の図に示す例では、制御信号が「０」のときに第１のスイッチ２０４は第１のアンプ２０２の出力端子側にスイッチングされ、検出部２００は低感度モードで検出動作を行う。制御信号が「１」のときに第１のスイッチ２０４は第２のアンプ２０３の出力端子側にスイッチングされ、検出部２００は高感度モードで検出動作を行う。
【００８８】
図６は、実施の形態１における表示装置１で実行される検出感度の切り替え動作の一例を示すフローチャートである。なお、図６に示すフローチャートは、表示装置１の制御部２０７によって実行される。また、図６に示すフローチャートは、制御部２０７が起動したときに開始される。
【００８９】
図５において、時刻Ｔ５０から時刻Ｔ５１までの期間５０１は、表示装置１の付近に表示装置１を視聴している人がいない状態（無人）を示している。時刻Ｔ５１から時刻Ｔ５３までの期間５０２は、表示装置１に人が近づいてきている状態（歩行中）を示している。時刻Ｔ５３から時刻Ｔ５７までの期間５０３は、人が表示装置１を視聴している状態（視聴中）を示している。時刻Ｔ５７以降の期間５０４は、表示装置１の付近から人がいなくなった状態（無人）を示している。
【００９０】
図５の下段の図に示す例では、時刻Ｔ５０において、制御信号は「０」であり、検出回路２０５は第１のスイッチ２０４を介して第１のアンプ２０２の出力端子に接続され、検出部２００は低感度モードに設定されている。そして、表示装置１は待機状態になっている。期間５０２では、人が歩いて表示装置１に近づいてきており、この状態が焦電素子２０１に感知されることで、図５の上段の図に例示するように、検出信号の振幅は基準電圧Ｖ０を中心に上下（正方向と負方向）に大きくなっている。そして、時刻Ｔ５２において、検出信号の電圧は、閾値電圧Ｓ１より大きくなり、検出領域に達している。このとき、検出部２００は、人の動きを検出したことを示す検出結果信号を出力する。これにより、第２のスイッチ２０９がオンになり、表示用電源２１０から制御部２０７および表示部１０１への電力供給が開始され、制御部２０７が起動する。
【００９１】
起動した制御部２０７は、図６のフローチャートに示す一連の処理を開始する。
【００９２】
まず、制御部２０７は、主記憶装置２０８に格納された画像データ等の各種データに基づいて、表示部１０１を点灯させる（ステップＳ１１）。
【００９３】
このとき、第２のスイッチ２０９はオンの状態であり、表示部１０１には表示用電源２１０から電力が供給されている。
【００９４】
また、制御部２０７は、第１のスイッチ２０４を制御して、検出部２００を低感度モードから高感度モードに切り替える（ステップＳ１２）。
【００９５】
具体的には、制御部２０７は、ステップＳ１２において、図５の下段の図に例示するように、第１のスイッチ２０４を制御する制御信号を「０」から「１」に変更する。これにより、時刻Ｔ５２以降、検出回路２０５は、第１のスイッチ２０４を介して第２のアンプ２０３の出力端子に接続される。すなわち、焦電素子２０１の出力信号は、第１のアンプ２０２および第２のアンプ２０３によって高増幅率で増幅（例えば、３万倍に増幅）され、高増幅率で増幅された検出信号が検出回路２０５に入力する。
【００９６】
また、制御部２０７は、時刻Ｔ５２において、タイマー２０６による時間の計測を開始する（ステップＳ１３）。
【００９７】
次に、制御部２０７は、検出部２００からの検出結果信号に基づいて、検出部２００が人の動き（熱源の変動）を検出したか否かを判断する（ステップＳ１４）。
【００９８】
検出部２００は、ステップＳ１２で高感度モードに切り替えられているので、ステップＳ１４における検出部２００の判断は、高感度モードで行われる。
【００９９】
制御部２０７は、ステップＳ１４において検出部２００は人の動きを検出したと判断すると（ステップＳ１４でＹＥＳ）、タイマー２０６の計測期間をリセットする（ステップＳ１６）。そして、制御部２０７は、処理をステップＳ１３に戻す。
【０１００】
これにより、タイマー２０６による設定期間５１３の計測が、初期状態から再開される。例えば、時刻Ｔ５２から期間５０８が経過した後に開始されたタイマー２０６の計測期間は、時刻Ｔ５４に生じたピークＰ５０９の手前で、検出信号の電圧が閾値電圧Ｓ２よりも低くなり検出領域に達する（すなわち、人の動きが検出される）ことによって、リセットされる。
【０１０１】
一方、制御部２０７は、ステップＳ１４において検出部２００は人の動きを検出していないと判断すると（ステップＳ１４でＮＯ）、タイマー２０６による計測期間が設定期間５１３に到達したか否かを判断する（ステップＳ１５）。
【０１０２】
制御部２０７は、ステップＳ１５においてタイマー２０６による計測期間は設定期間５１３に到達していないと判断した場合（ステップＳ１５でＮＯ）、タイマー２０６による計測期間が設定期間５１３に到達するまで、ステップＳ１４以降の処理を繰り返す。
【０１０３】
図５の上段の図に示す例では、人が表示装置１を視聴中の期間５０３において、検出信号の電圧は、時刻Ｔ５４に生じたピークＰ５０９およびその近傍、時刻Ｔ５５に生じたピークＰ５１０およびその近傍、および時刻Ｔ５６に生じたピークＰ５１１およびその近傍で、閾値電圧Ｓ１よりも高くなり、または閾値電圧Ｓ２よりも低くなって、検出領域に到達している。そして、検出領域に到達した検出信号の電圧は、高感度モードの検出部２００に、人の動きとして検出される。図５の上段の図に示す例では、各ピーク間の、検出信号の電圧が閾値電圧Ｓ２以上かつ閾値電圧Ｓ１以下となっている時間間隔は、タイマー２０６に設定された設定期間５１３（例えば、１０分）よりも短い。そのため、制御部２０７は、検出信号の電圧が検出領域に到達する毎にステップＳ１６の処理を実行し、ステップＳ１３〜ステップＳ１６の処理を繰り返し行う。
【０１０４】
表示装置１の付近が再び無人となった期間５０４では、検出信号の電圧は、ノイズ成分によりピークＰ５１２が生じ、ピークＰ５１２およびその近傍で閾値電圧Ｓ１よりも高くなり検出領域に到達している。
【０１０５】
図５の上段の図に示す例では、検出信号の電圧が、ピークＰ５１１を過ぎて閾値電圧Ｓ１以下になってから、ピークＰ５１２の手前で閾値電圧Ｓ１より大きくなるまでの期間は、タイマー２０６に設定された設定期間５１３（例えば、１０分）よりも短い。そのため、検出信号の電圧がピークＰ５１２の手前で検出領域に到達したときに、タイマー２０６はリセットされる。しかし、表示装置１の付近が無人のとき、検出信号の電圧がノイズ成分により閾値電圧Ｓ１よりも高くなったり、閾値電圧Ｓ２よりも低くなったりすることは、頻繁に起こることではない。図５の上段の図に示す例では、検出信号の電圧は、ピークＰ５１２を過ぎて閾値電圧Ｓ１以下になった時刻Ｔ５８以降は、検出領域に到達していない。そして、タイマー２０６の計測期間は、時刻Ｔ５９において設定期間５１３に到達している。
【０１０６】
制御部２０７は、ステップＳ１５において、タイマー２０６による計測期間が設定期間５１３に到達したと判断したとき（ステップＳ１５でＹＥＳ）、第１のスイッチ２０４を制御して検出部２００を高感度モードから低感度モードに切り替える（ステップＳ１７）。
【０１０７】
具体的には、制御部２０７は、ステップＳ１７において、図５の下段の図に例示するように、第１のスイッチ２０４を制御する制御信号を「１」から「０」に変更する。これにより、時刻Ｔ５９以降、検出回路２０５は、第１のスイッチ２０４を介して第１のアンプ２０２の出力端子に接続される。すなわち、焦電素子２０１の出力信号は、第１のアンプ２０２によって低増幅率で増幅（例えば、１万倍に増幅）され、低増幅率で増幅された検出信号が検出回路２０５に入力する。
【０１０８】
また、制御部２０７は、表示用電源２１０に接続された第２のスイッチ２０９をオフにし（ステップＳ１８）、本処理を終了する。
【０１０９】
これにより、表示用電源２１０と表示部１０１との接続が切断され、表示部１０１には表示用電源２１０からの電力が供給されなくなる。このようにして自動オフ機能が制御部２０７によって実行され、表示装置１が待機状態となる。
【０１１０】
以上の処理により、表示装置１は、待機状態のときと動作状態のときとで、焦電センサ２の検出信号の増幅率が切り替わる。すなわち、表示装置１は、待機状態のときには焦電センサ２の検出信号を低増幅率で増幅し、動作状態のときには検出信号を高増幅率で増幅する。これにより、表示装置１は、表示装置１を視聴する人の存在や動きを精度良く検出することが可能になる。これにより、ユーザの使い勝手が良く、省電力化が可能な表示装置１を実現することができる。
【０１１１】
なお、表示装置１では、表示部１０１が消灯しているとき、すなわち表示装置１が待機状態のときに、第１のスイッチ２０４は第１のアンプ２０２の出力端子に接続され、検出信号の増幅率は低増幅率に設定されている（図５の下段の図参照）。このため、図５の上段の図に例示するように、時刻Ｔ５１より前の期間（すなわち、表示装置１の付近に人がいない状態）では、検出信号は低増幅率で増幅され、検出信号の電圧の変動は相対的に小さく、ノイズによる影響も少ない。これにより、表示装置１において、検出部２００が検出信号を誤検出して自動オン機能が誤動作することを抑制することができる。
【０１１２】
また、表示装置１では、低感度モードの検出部２００によって自動オン機能が実行され、これによって起動した制御部２０７が、検出部２００を高感度モードに切り替える。そして、高感度モードの検出部２００の検出結果に基づき自動オフ機能が実行される（ステップＳ１３〜ステップＳ１８）。
【０１１３】
図５の上段の図に示した例では、表示装置１に近づいてきた人は、時刻Ｔ５３以降の期間５０３の間、表示装置１の近くに留まり表示部１０１を視聴している。期間５０３において検出部２００は高感度モードに設定されているため（ステップＳ１２）、表示装置１を視聴する人の相対的に小さな動きも、検出部２００によって検出される（ステップＳ１４）。表示装置１を視聴する人の相対的に小さな動きが頻繁に検出されることで、タイマー２０６は、計測期間が設定期間に到達する前にリセットされる（ステップＳ１５、ステップＳ１６）。これにより、表示装置１では、人が表示装置１を視聴中に表示部１０１が消灯する、といった自動オフ機能の誤動作が抑制される。
【０１１４】
また、図５の上段の図に示した例では、表示装置１を視聴していた人は、時刻Ｔ５７で表示装置１の付近から立ち去り、時刻Ｔ５７以降の期間５０４では、表示装置１の付近は無人の状態になっている。このため、表示装置１では、人（熱源）の動きが検出された時刻Ｔ５６の後で開始されたタイマー２０６の計測期間が設定期間５１３に達するタイミングで、自動オフ機能が働くことが理想的である。しかしながら、上述したように、時刻Ｔ５８で、検出部２００は、人の動きによるものではない検出信号、すなわち熱揺らぎにより生じたノイズ成分を、誤検出している。しかし、時刻Ｔ５８にリセットされて時間の計測を再開したタイマー２０６の計測期間は、時刻Ｔ５９で設定期間５１３に到達し（ステップＳ１５でＹＥＳ）、表示装置１では時刻Ｔ５９で自動オフ機能が実行されている（ステップＳ１７、ステップＳ１８）。このように、表示装置１においては、表示装置１の付近が無人のときに、検出部２００での誤検出が、タイマー２０６の設定期間よりも短い時間間隔で繰り返される可能性は低い。したがって、タイマー２０６の設定期間が適切に設定されることで、表示装置１では、自動オフ機能を適切に働かせることができる。
【０１１５】
［１−３．効果等］
以上のように、本実施の形態において、電子機器は、被写体の動きを検出し、その検出の結果に応じて動作する電子機器である。電子機器は、焦電素子と、検出部と、制御部と、を備える。焦電素子は、焦電効果に基づいて熱の変化を感知する。検出部は、焦電素子から出力される検出信号に基づき、被写体の動きを検出する。制御部は、検出部の検出結果に基づいて、検出部の検出感度を設定する。検出部の検出感度は、低感度または低感度よりも感度が高い高感度に設定される。制御部は、検出部が被写体の動きを検出したとき、検出感度を高感度に設定する。制御部は、検出感度が高感度の状態において、検出部が被写体の動きを検出せずに所定期間が経過したとき、検出感度を低感度に設定する。
【０１１６】
なお、表示装置１は電子機器の一例である。焦電素子２０１は焦電素子の一例である。検出部２００は検出部の一例である。制御部２０７は制御部の一例である。表示装置１の付近の人は、被写体の一例である。タイマー２０６に設定された設定期間（例えば、設定期間５１３）は、所定期間の一例である。
【０１１７】
例えば、実施の形態１に示した例では、表示装置１は、表示装置１の付近の人（被写体）の動きを検出し、その検出の結果に応じて動作する電子機器である。表示装置１は、焦電素子２０１と、検出部２００と、制御部２０７と、を備える。焦電素子２０１は、焦電効果に基づいて熱の変化を感知する。検出部２００は、焦電素子２０１から出力される検出信号に基づき、表示装置１の付近の人の動きを検出する。制御部２０７は、検出部２００の検出結果に基づいて、検出部２００の検出感度を設定する。検出部２００の検出感度は、低感度または低感度よりも感度が高い高感度に設定される（図５参照）。制御部２０７は、検出部２００が表示装置１の付近の人の動きを検出したとき、検出感度を高感度に設定する。制御部２０７は、検出感度が高感度の状態において、検出部２００が表示装置１の付近の人の動きを検出せずに設定期間５１３が経過したとき、検出感度を低感度に設定する（図６参照）。
【０１１８】
また、実施の形態１に示した例では、焦電センサ２は、焦電素子２０１と、検出部２００と、を備える。制御部２０７は、検出部２００の検出結果に基づいて、検出部２００の検出感度を設定する。
【０１１９】
これにより、表示装置１では、検出部２００が、焦電素子２０１からの検出信号に基づき人の動きを検出すると、検出感度は高感度に設定される。そのため、その後の人の動きが相対的に小さくても、その動きは検出部２００に検出され易くなる。これにより、焦電素子２０１を用いて人の動きを検出して動作する表示装置１において、検出漏れ（検出すべき人の動きを検出できないこと）を低減して、人の動きを精度良く検出することが可能となる。
【０１２０】
電子機器の制御部は、検出感度が低感度の状態において、検出部が被写体の動きを検出したとき、検出感度を高感度に切り替えてもよい。また、制御部は、検出感度が高感度の状態において、検出部が被写体の動きを検出したとき、検出感度を高感度に維持してもよい。
【０１２１】
例えば、実施の形態１に示した例では、制御部２０７は、検出感度が低感度の状態において、検出部２００が人の動きを検出したとき、検出感度を高感度に切り替える（図６のステップＳ１２）。また、制御部２０７は、検出感度が高感度の状態において、検出部２００が人の動きを検出したとき、検出感度を高感度で維持する（図６のステップＳ１３〜Ｓ１６）。
【０１２２】
これにより、表示装置１では、例えば、検出部２００が、表示装置１に近づいてきた人を検出すると、検出感度は低感度から高感度に切り替わる。そのため、その後、その人が表示装置１を視聴するために移動を停止する等して、その人の動きが相対的に小さい状態になったとしても、高感度に設定された検出部２００は、その小さな動きを検出することができる。したがって、表示装置１では、人が表示装置１の付近に滞在している際の小さな動きを、検出漏れを低減して精度良く検出することができる。
【０１２３】
電子機器の制御部は、検出部が被写体の動きを検出したときに起動してもよい。
【０１２４】
例えば、実施の形態１に示した例では、制御部２０７は、検出部２００が人の動きを検出したときに起動する。
【０１２５】
これにより、人が表示装置１に近づくことで、検出部２００がその人の動きを検出し、制御部２０７が自動的に起動する。このように、人が表示装置１に近づいたときに表示装置１が自動で起動することで、表示装置１を使用するユーザの利便性を向上することができる。
【０１２６】
なお、制御部２０７は、検出部２００が人の動きを検出する以前に起動していてもよい。すなわち、表示装置１は、検出部２００が人の動きを検出する以前にスタンバイ状態になっていてもよい。この場合、制御部２０７は、検出部２００が人の動きを検出したときに表示部１０１の点灯動作等を開始してもよい。つまり、表示装置１では、自動オンオフ機能により、スタンバイ状態と動作状態の二つの状態を自動で切り替えてもよい。
【０１２７】
電子機器の制御部は、所定期間が経過して検出感度を低感度に設定したとき、電子機器の動作を停止させてもよい。
【０１２８】
なお、タイマー２０６に設定された設定期間５１３（例えば、１０分）は、所定期間の一例である。
【０１２９】
例えば、実施の形態１に示した例では、制御部２０７は、タイマー２０６に設定された設定期間５１３が経過して検出感度を低感度に設定したとき、表示装置１の動作を停止させる。これにより、表示装置１の省電力化を図ることができる。
【０１３０】
電子機器においては、所定期間が経過して検出感度が低感度に設定されたとき、検出感度が低感度に設定されたことを示す情報が出力されてもよい。
【０１３１】
なお、図７に示すメッセージＤ１は、検出感度が低感度に設定されたことを示す情報の一例である。
【０１３２】
例えば、実施の形態１に示した表示装置１では、タイマー２０６に設定された設定期間５１３が経過して検出感度が低感度に設定されたとき、表示装置１の動作を停止させることに代えて、検出感度が低感度に設定されたことをユーザに報知するメッセージＤ１が表示部１０１に表示されてもよい。
【０１３３】
ユーザに報知する情報の例について、図７を用いて説明する。
【０１３４】
図７は、実施の形態１における表示装置１で表示される、高感度モードから低感度モードへの切り替え時の表示画像の一例を示す図である。
【０１３５】
制御部２０７は、図６に示したステップＳ１７において検出部２００を高感度モードから低感度モードに切り替えた後、例えば図７に示すように、検出感度が低感度に設定されたことをユーザに報知する表示画像としての所定のメッセージＤ１を、所定期間（例えば１分）、表示部１０１に表示させてもよい。
【０１３６】
図７の表示例では、表示部１０１に、「低感度モードに切り替えました。人の動きが検出されなければ、消灯します。」と記されたメッセージＤ１が表示されている。これにより、表示装置１付近に表示装置１を視聴する人が居る場合、その人は、低感度モードでも検出されるような大きな動きをしなければ、表示装置１が消灯することを認識できる。したがって、表示装置１を使用するユーザの利便性を向上することができる。
【０１３７】
なお、表示装置１において高感度モードから低感度モードへの切り替え時に出力されるユーザへの報知情報は、表示部１０１に表示されるメッセージＤ１に限定されない。この報知情報は、例えば、音声アナウンスやアラーム音等の音によるものであってもよい。
【０１３８】
また、表示装置１では、表示部１０１でのメッセージＤ１の表示（または、音によるメッセージ）は、高感度モードから低感度モードに切り替わる前に行われてもよい。例えば、制御部２０７は、タイマー２０６に設定された設定期間５１３に対する計測期間の残り時間が所定の時間（たとえば、残り時間が１分）になったとき、メッセージＤ１を表示部１０１に表示（または、音によるメッセージを出力）してもよい。このように構成された表示装置１では、高感度モードから低感度モードへの切り替え前に、表示部１０１に表示されるメッセージＤ１（または、音によるメッセージ）を、表示装置１を視聴する人に報知することができる。これにより、表示装置１は、その人に、低感度モードへの切り替え後に必要となる動きよりも小さい動きで表示装置１を復帰できる（または、表示装置１を消灯させない）ことを、知らせることができる。
【０１３９】
電子機器の制御部は、焦電素子から出力される検出信号の増幅率を変更することにより、検出感度を低感度または高感度に設定してもよい。
【０１４０】
例えば、実施の形態１に示した例では、制御部２０７は、焦電素子２０１から出力される検出信号の増幅率を変更（例えば、増幅率を１万倍と３万倍とのいずれかに設定）することにより、検出部２００における検出感度を低感度または高感度に設定する。
【０１４１】
これにより、比較的簡単な回路構成で、検出感度の切り替えを実現することができる。なお、増幅率を規定する抵抗等の電子部品には、抵抗値等の各種定数が固定された電子部品が用いられてもよいし、連続的に可変できる電子部品が用いられてもよい。
【０１４２】
上記の実施の形態１では、表示装置１において、あらかじめ設定されて数値が固定された閾値電圧Ｓ１、Ｓ２が検出領域の境界とされる構成例を示した。しかし、検出領域の境界は固定されていなくてもよい。言い換えると、検出感度の設定方法は、検出信号の増幅率の変更に限定されない。例えば、検出部２００が検出信号の電圧を閾値電圧Ｓ１、Ｓ２と比較するときに、制御部２０７が、閾値電圧Ｓ１、Ｓ２を変更することにより検出感度が低感度または高感度に設定されてもよい。
【０１４３】
すなわち、検出部は、検出信号の電圧を所定の閾値電圧と比較することにより被写体の動きを検出してもよく、制御部は、その閾値電圧を変更することにより、検出部の検出感度を低感度または高感度に設定してもよい。
【０１４４】
以下、表示装置１において、閾値電圧Ｓ１、Ｓ２が変更されることにより検出部２００の検出感度が切り替えられる動作例について、図８を用いて説明する。
【０１４５】
図８は、実施の形態１における表示装置１で実行される検出感度の切り替え動作の変形例を示す波形図である。なお、図８に示す波形図は、図３〜図５と同様に、検出部２００における検出信号の波形の一例を示している。
【０１４６】
図８の時刻Ｔ７０において、表示装置１の検出部２００は、低感度モードに設定されている。低感度モードでは、検出回路２０５の閾値電圧は、閾値電圧Ｓ１、Ｓ２に設定されている。その後、時刻Ｔ７１において、検出部２００は、検出信号の電圧が閾値電圧Ｓ２よりも低くなったことを検出し、検出結果信号を制御部２０７に出力する。この検出結果信号を受けた制御部２０７は、図５に示したような第１のスイッチ２０４を制御することに代えて、検出回路２０５に設定されている閾値電圧Ｓ１、Ｓ２を変更する。
【０１４７】
具体的には、この検出結果信号を受けた制御部２０７は、低感度モード用の閾値電圧Ｓ１、Ｓ２に代えて、高感度モード用の閾値電圧Ｓ３、Ｓ４を、検出回路２０５に設定する。図８に例示するように、高感度モード用の閾値電圧Ｓ３、Ｓ４は、閾値電圧Ｓ３、Ｓ４間の電圧差（以下、「閾値幅」という）が、低感度モード用の閾値電圧Ｓ１、Ｓ２間の閾値幅よりも縮小するように、設定されている。これにより、検出部２００は、検出信号のピークＰ７０１よりも小さい、検出信号のピークＰ７０２、Ｐ７０３を検出することが可能になる。なお、図８に示す例では、ピークＰ７０１は、人が移動するときの動きにより生じる検出信号のピークのことであり、ピークＰ７０２、Ｐ７０３は、人が表示装置１を視聴中のときの動きにより生じる検出信号のピークのことである。
【０１４８】
また、図８に示す例では、時刻Ｔ７３において、制御部２０７は、高感度モード用の閾値電圧Ｓ３、Ｓ４を、低感度モード用の閾値電圧Ｓ１、Ｓ２に戻す。なお、時刻Ｔ７３は、検出部２００による検出信号の電圧がピークＰ７０３を過ぎて閾値電圧Ｓ３以下になった時刻Ｔ７２から、タイマー２０６に設定された設定期間７０４が経過した時刻である。これにより、検出部２００は高感度モードから低感度モードに切り替わる。
【０１４９】
以上のように、表示装置１では、閾値電圧を変更することによっても、検出部２００の検出感度を高感度または低感度に設定することができる。閾値電圧の変更は、検出部２００を所定のプログラムで制御することにより可能である。そのため、そのように構成された検出部２００では、閾値電圧の変更により、容易に検出感度の微調整を行うことができる。
【０１５０】
電子機器は、画像を表示する表示装置を構成してもよい。
【０１５１】
例えば、実施の形態１に示した例では、焦電センサ２を搭載した表示装置１は、画像を表示するテレビ等を構成する。
【０１５２】
表示装置１では、自動的に表示用電源２１０をオン／オフする機能を、小型の焦電素子２０１を使って制御することで、省電力化を実現することができる。テレビ番組を映すテレビにおいては、途切れることなく映像を表示し続けることが要求される。そのため、人がテレビを視聴中であるにもかかわらず、その人が検出されずに（検出漏れが生じ）誤ってテレビが消灯してしまうと、ユーザの利便性は著しく低下する。しかしながら、本実施の形態に示す表示装置１では、自動オン機能で表示装置１が起動した後に低感度モードから高感度モードに自動的に切り替わることで、表示装置１を視聴中の人の動きを、検出漏れを低減し、精度良く検出することができる。したがって、表示装置１においては、表示装置１を視聴中の人の検出漏れによる自動オフ機能の誤動作を抑制でき、ユーザの利便性を向上することができる。
【０１５３】
なお、本実施の形態において、表示装置１はテレビに限定されない。表示装置１は、例えばコンピュータに用いられるディスプレイあってもよいし、種々の電子機器に組み込まれた画面インタフェースデバイスであってもよい。
【０１５４】
なお、実施の形態１では、表示装置１において、表示用電源２１０とは別に設けられた他の電源部（図示せず）から主記憶装置２０８への電力供給が行われている構成例について説明した。これは、表示装置１において、待機状態から動作状態への移行にかかる時間を短縮するためである。しかし、主記憶装置２０８は表示用電源２１０から電力を供給されてもよい。
【０１５５】
（実施の形態２）
以下、図９〜図１１を用いて、実施の形態２を説明する。
【０１５６】
実施の形態１では、表示装置１において、検出部２００の検出感度が高感度と低感度とで切り替えられる構成例について説明した。本実施の形態では、さらに、環境温度に応じて検出感度が補正される構成例について説明する。
【０１５７】
［２−１．構成］
以下、実施の形態における表示装置１Ａを説明する。
【０１５８】
なお、実施の形態２に示す表示装置１Ａでは、実施の形態１に示した表示装置１が備える構成要素と実質的に同じ動作をする構成要素に関しては、その構成要素と同じ符号を付与し、説明を省略する。以下、実施の形態１に示した表示装置１と異なる点を中心に説明を行い、実施の形態１に示した表示装置１と実質的に同一となる動作についての説明は省略される場合がある。
【０１５９】
図９は、実施の形態２における表示装置１Ａの一構成例を模式的に示すブロック図である。
【０１６０】
図９に示すように、表示装置１Ａは、実施の形態１で説明した表示装置１と実質的に同じ構成を備える。表示装置１Ａは、その構成に加えて、さらに、温度センサ２２０、を備える。温度センサ２２０は例えばサーミスタであり、温度センサ２２０の周辺の温度を計測する。本実施形態において、温度センサ２２０は、前面基板１０４上で焦電素子２０１の近傍に取り付けられている。これにより、温度センサ２２０は、焦電素子２０１の近傍の温度を測定できる。これにより、温度センサ２２０は、焦電素子２０１の温度を、間接的ではあるが、比較的精度良く測定することができる。
【０１６１】
温度センサ２２０は、測定した温度の測定値を示す温度信号を、信号処理基板１０３上の制御部２０７に出力する。制御部２０７は、温度センサ２２０からの温度信号に基づき検出部２００の検出回路２０５を制御して、閾値電圧Ｓ１および閾値電圧Ｓ２を変動させる。
【０１６２】
［２−２．動作］
図１０は、実施の形態２における表示装置１Ａの焦電センサ２で検出される、低温時および高温時の検出信号の一例を示す波形図である。図１０において、横軸は時間Ｔであり、縦軸は電圧Ｖである。また、図１０において、実線の波形６０１は、低温として設定された温度（低温）の環境下で焦電センサ２から出力される検出信号の波形例を示し、一点差線の波形６０２は、波形６０１が得られた低温の温度環境よりも高い温度（高温）の環境下で、焦電センサ２から出力される検出信号の波形例を示している。
【０１６３】
焦電センサ２による熱の感知は、周囲環境の影響を受けやすい。特に、焦電センサ２の周囲の温度の状態により、焦電素子２０１から出力される信号の振幅は変動しやすい。図１０に示した波形例では、低温時の波形６０１の電圧が閾値電圧Ｓ１、Ｓ２間の領域を越えて検出領域に到達した回数は、１回（時刻Ｔ６１およびその近傍）である。一方、高温時の波形６０２の電圧が閾値電圧Ｓ１、Ｓ２間の領域を越えて検出領域に到達した回数は、２回（時刻Ｔ６１およびその近傍と、時刻Ｔ６２およびその近傍）である。
【０１６４】
このように、焦電センサ２は、高温の環境下では、焦電素子２０１の感度が高まって出力信号の電圧が大きくなる傾向がある。このため、高温の環境下では、検出部２００において検出信号が検出領域に到達する頻度は高くなりやすい。したがって、高温の環境下にある表示装置では、例えば、動作状態の表示装置においてタイマー２０６のリセットが頻繁に繰り返されて自動オフ機能が働きにくくなり、表示装置を待機状態に戻すことが困難になる可能性がある。
【０１６５】
そこで、本実施の形態における表示装置１Ａでは、温度センサ２２０を用いて焦電センサ２の温度を間接的に測定し、測定された温度に応じて、検出部２００における検出感度を補正する。
【０１６６】
図１１は、実施の形態２における表示装置１Ａに設定された、温度に応じた検出感度の較正曲線の一例を示すグラフである。図１１において、横軸は焦電センサ２が設置された前面基板１０４の温度（℃）を示し、縦軸は閾値幅Ｓ１−Ｓ２（閾値電圧Ｓ１、Ｓ２間の電圧差）の倍数を示している。
【０１６７】
表示装置１Ａは、温度センサ２２０で測定された温度に応じて閾値幅Ｓ１−Ｓ２を変化させるように、閾値電圧Ｓ１、Ｓ２を補正する（図１０参照）。図１１に示す曲線は、所定の基準温度（例えば、２３℃）から焦電センサ２の周囲の温度が変化した場合に、閾値幅Ｓ１−Ｓ２を補正する倍数を規定している。
【０１６８】
表示装置１Ａでは、温度センサ２２０で測定された温度と、閾値幅Ｓ１−Ｓ２を補正する倍数との関係を示す情報が、主記憶装置２０８にあらかじめ格納されている。この、温度と倍数との関係を示す情報は、例えば、図１１に示す曲線を表す関数、等で表される。そして、制御部２０７は、図１１に例示するような温度と倍数との関係を示す情報を参照して、閾値電圧Ｓ１、Ｓ２を補正する。
【０１６９】
具体的には、制御部２０７は、温度センサ２２０で測定された温度に基づき、温度と倍数との関係を示す情報を参照して倍数を決定し、その倍数を基準温度の閾値幅Ｓ１−Ｓ２に乗算する。そして、その倍数を乗算された閾値幅Ｓ１−Ｓ２の値が、補正後の閾値幅Ｓ１’−Ｓ２’となるように、閾値電圧Ｓ１、Ｓ２を補正して補正後の閾値電圧Ｓ１’、Ｓ２’を設定する。
【０１７０】
図１１に例示した曲線に基づく温度補正が表示装置１Ａで行われる場合、焦電素子２０１付近の測定温度が２３℃以下のとき、補正後の閾値幅Ｓ１’−Ｓ２’は、補正前の閾値幅Ｓ１−Ｓ２に実質的に等しく、倍数はほぼ１．０倍に設定される。測定温度が２３℃より高くなると、補正後の閾値幅Ｓ１’−Ｓ２’は徐々に大きくなる。補正後の閾値幅Ｓ１’−Ｓ２’は、焦電素子２０１で測定される温度が４０℃のときは補正前の閾値幅Ｓ１−Ｓ２の約１．２倍、５０℃のときは補正前の閾値幅Ｓ１−Ｓ２の約１．４倍、そして６０℃のときは補正前の閾値幅Ｓ１−Ｓ２の約１．６倍、となる。このように、表示装置１Ａにおいて、補正後の閾値電圧Ｓ１’、Ｓ２’は、焦電素子２０１の周囲の温度が高くなるほど閾値幅Ｓ１’−Ｓ２’が大きくなるように、設定される。
【０１７１】
これにより、図１０に示す例では、表示装置１Ａにおいて、高温時の波形６０１の電圧が、補正後の閾値電圧Ｓ１’、Ｓ２’間の領域を越える回数は、低温時と同様に、１回（時刻Ｔ６１およびその近傍）となる。このように、表示装置１Ａでは、検出部２００において、閾値電圧Ｓ１、Ｓ２は、温度センサ２２０で測定された温度に基づき補正される。これにより、表示装置１Ａでは、焦電素子２０１から出力される信号が焦電素子２０１の温度によって変動したとしても、その影響を抑制することができる。
【０１７２】
なお、補正後の閾値電圧Ｓ１’、Ｓ２’は、閾値電圧Ｓ１’と閾値電圧Ｓ１との差（絶対値）と、閾値電圧Ｓ２’と閾値電圧Ｓ２との差（絶対値）とが実質的に等しくなるように、基準電圧Ｖ０を基準にして、設定されてもよい。
【０１７３】
［２−３．効果等］
以上のように、本実施の形態において、電子機器は、温度を測定する温度センサをさらに備え、制御部は、温度センサによって測定された温度に応じて、検出感度を補正する。
【０１７４】
なお、表示装置１Ａは電子機器の一例である。温度センサ２２０は温度センサの一例である。
【０１７５】
例えば、実施の形態２に示した例では、表示装置１Ａは、温度を測定する温度センサ２２０をさらに備える。制御部２０７は、温度センサ２２０によって測定された温度に応じて、検出感度を補正する。
【０１７６】
表示装置１Ａでは、温度センサ２２０によって測定された焦電素子２０１の周囲の温度に応じて閾値電圧Ｓ１、Ｓ２が補正されることにより、検出感度が補正される。これにより、表示装置１Ａでは、焦電素子２０１を用いた人の動きの検出の精度を向上することができる。
【０１７７】
なお、実施の形態２では、表示装置１Ａが温度センサ２２０を備え、温度センサ２２０により温度が測定され、その温度に基づき検出部２００の検出感度が補正される構成例を説明した。しかし、表示装置１Ａでは、例えば、温度センサ２２０を用いずに検出感度が補正されてもよい。例えば、表示装置１Ａ中で発熱し易い部分の負荷が測定され、制御部２０７が、負荷の測定値に基づき検出部２００の検出感度を補正してもよい。また、表示装置１Ａ内で温度が上昇する可能性が高い部分について、その部分の負荷に応じた温度上昇値をあらかじめ見積もっておき、その負荷に応じて一意に閾値が設定されてもよい。例えば、表示装置１Ａにおいては、表示部１０１のバックライトの負荷が大きく、バックライトが発熱し易い。表示部１０１のバックライトの輝度がユーザにより設定可能になっている場合、バックライトの輝度値と閾値との対応関係をあらかじめ主記憶装置２０８等に記憶しておき、バックライトの輝度の設定値に応じて閾値が設定されてもよい。
【０１７８】
（他の実施形態）
以上のように、本出願において開示する技術の例示として、実施の形態１、２を説明した。しかしながら、本開示における技術は、これに限定されず、変更、置き換え、付加、省略等を行った実施の形態にも適用できる。また、上記実施の形態１、２で説明した各構成要素を組み合わせて、新たな実施の形態とすることも可能である。
【０１７９】
そこで、以下、他の実施の形態を例示する。
【０１８０】
実施の形態１、２では、焦電センサで人の動きを検出する電子機器の一例として、表示装置１（１Ａ）を説明した。しかし、本開示の電子機器は、表示装置に限定されず、焦電素子を有する全ての電子機器に適用可能である。例えば、本開示に係る電子機器は、エアコン、扇風機、照明機器、オーディオ機器、および監視カメラ、等であってもよい。例えば、上述した人の動きの検出による自動オンオフ機能を適用して、表示装置の表示部の代わりに、エアコンまたは扇風機の駆動部を起動／停止させてもよい。
【０１８１】
また、本開示に係る自動オンオフ機能を適用して起動／停止する対象の動作は、電子機器の全体動作でなくてもよい。電子機器における一部の動作が対象であってもよい。例えば、音声認識システムのような、焦電素子に比べて消費電力を要する高度なシステムを用いて電子機器が制御されてもよく、その際、焦電素子による自動オンオフ機能が、音声認識システムの起動／停止に適用されてもよい。
【０１８２】
また、実施の形態１、２では、検出部２００が、信号処理基板１０３上の電子回路で構成される例を示した。本開示に係る検出部は、所定の機能（実施の形態１、２に開示された機能）を実現するように設計された専用の電子回路や再構成可能な電子回路等のハードウェア回路（ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、等）を備えて構成されてもよい。また、検出部の機能は、ソフトウェアで実現されてもよいし、ハードウェアとソフトウェアの協働により実現されてもよい。検出部の変形例について、図１２を用いて説明する。
【０１８３】
図１２は、実施の形態の変形例１における電子機器１Ｂの一構成例を模式的に示すブロック図である。なお、変形例１に示す電子機器１Ｂでは、実施の形態１に示した表示装置１が備える構成要素と実質的に同じ動作をする構成要素に関しては、その構成要素と同じ符号を付与し、説明を省略する。
【０１８４】
図１２に示すように、電子機器１Ｂは、電子機器１Ｂの動作を制御するＣＰＵ２０７Ａを備える。ＣＰＵ２０７Ａは、第１のＡＤポートＡＤ１および第２のＡＤポートＡＤ２を有する。第１のＡＤポートＡＤ１は第２のアンプ２０３に接続され、第２のＡＤポートＡＤ２は第１のアンプ２０２に接続されている。ＣＰＵ２０７Ａは、検出部２００と実質的に同じ機能を実現するように作成されたプログラムを実行することができる。そして、ＣＰＵ２０７Ａは、第１のＡＤポートＡＤ１から入力される高増幅率の検出信号、および第２のＡＤポートＡＤ２から入力される低増幅率の検出信号に基づいて、検出部２００と実質的に同じ機能を実現することができる。
【０１８５】
また、ＣＰＵ２０７Ａは、例えば図６に示されたフローチャート等の処理を実行するように作成されたプログラムが実行されてもよい。ＣＰＵ２０７Ａは、電子機器１Ｂにおいては、検出部の一例であり、制御部の一例である。なお、ＣＰＵ２０７Ａで実行されるプログラムは、主記憶装置２０８に記憶されていてもよく、プログラム専用の記憶装置（図示せず）に記憶されていてもよい。
【０１８６】
実施の形態１、２では、検出部２００の検出感度が制御部２０７によって設定される構成例を説明した。しかし、焦電センサ内で検出感度の設定が行われてもよい。検出感度の設定が行われる焦電センサの一例について、図１３を用いて説明する。
【０１８７】
図１３は、実施の形態の変形例２における電子機器１Ｃおよび焦電センサ２Ａの一構成例を模式的に示すブロック図である。なお、変形例２に示す電子機器１Ｃでは、実施の形態１に示した表示装置１が備える構成要素と実質的に同じ動作をする構成要素に関しては、その構成要素と同じ符号を付与し、説明を省略する。
【０１８８】
電子機器１Ｃは、焦電センサ２Ａ、制御部２０７、主記憶装置２０８、第２のスイッチ２０９、表示用電源２１０、および表示部１０１、を備える。
【０１８９】
なお、焦電センサ２Ａは、電子機器１Ｃの内部に組み込まれてもよいし、電子機器１Ｃとは別体で構成されてもよい。例えば、焦電センサ２Ａは、電子機器１Ｃに有線（または無線）で接続され、検出部２００Ａによる検出結果信号を電子機器１Ｃに送信してもよい。
【０１９０】
図１３に示すように、焦電センサ２Ａは、図２に示した焦電センサ２の構成（すなわち、焦電素子２０１および第１のアンプ２０２）に加えて、検出部２００Ａおよび感度設定部２３０をさらに備える。
【０１９１】
検出部２００Ａは、第２のアンプ２０３と、第１のスイッチ２０４と、コンパレータ２０５ａと、リファレンス電圧源２０５ｂと、を備える。なお、検出回路２０５は、コンパレータ２０５ａと、リファレンス電圧源２０５ｂと、を備えて構成される。リファレンス電圧源２０５ｂは、コンパレータ２０５ａに閾値電圧を供給する。コンパレータ２０５ａは、第１のスイッチ２０４から出力される検出信号の電圧と閾値電圧とを互いに比較し、その比較結果にもとづく信号（検出結果信号）を、感度設定部２３０、制御部２０７、および第２のスイッチ２０９に出力する。
【０１９２】
感度設定部２３０は、実施の形態１における制御部２０７と同様に、検出部２００Ａからの検出結果信号に基づいて、第１のスイッチ２０４のスイッチング動作を制御する。感度設定部２３０は、例えば上記の機能を実現するように設計された専用の電子回路や再構成可能な電子回路等のハードウェア回路（ＡＳＩＣ、ＦＰＧＡ等）で構成されてもよい。
【０１９３】
また、感度設定部２３０は、第１のスイッチ２０４の制御に代えて、検出部２００Ａにおいてコンパレータ２０５ａに閾値電圧を供給するリファレンス電圧源２０５ｂを制御して閾値電圧を変更することで、検出部２００Ａの検出感度を設定してもよい。この場合、検出部２００Ａにおいて、第２のアンプ２０３および第１のスイッチ２０４が省略されてもよい。
【０１９４】
以上のように、本実施の形態において、焦電センサは、焦電素子と、検出部と、感度設定部と、を備える。焦電素子は、焦電効果に基づいて熱の変化を感知する。検出部は、焦電素子から出力される検出信号に基づき、被写体の動きを検出する。感度設定部は、検出部の検出結果に基づいて、検出部の検出感度を設定する。検出感度は、低感度または低感度よりも感度が高い高感度に設定される。感度設定部は、検出部が被写体の動きを検出したとき、検出感度を高感度に設定する。感度設定部は、検出感度が高感度の状態において、検出部が被写体の動きを検出せずに所定期間が経過したとき、検出感度を低感度に設定する。
【０１９５】
なお、電子機器１Ｃは電子機器の一例である。焦電センサ２Ａは焦電センサの一例である。焦電素子２０１は焦電素子の一例である。検出部２００Ａは検出部の一例である。感度設定部２３０は感度設定部の一例である。電子機器１Ｃの付近（または、表示部１０１の付近）の人は、被写体の一例である。タイマー２０６に設定された設定期間（例えば、設定期間５１３、７０４）は所定期間の一例である。
【０１９６】
例えば、実施の形態の変形例２に示した例では、焦電センサ２Ａは、焦電素子２０１と、検出部２００Ａと、感度設定部２３０と、を備える。焦電素子２０１は焦電効果に基づいて熱の変化を感知する。検出部２００Ａは、焦電素子２０１から出力される検出信号に基づき、電子機器１Ｃの付近（または、表示部１０１の付近）の人の動きを検出する。感度設定部２３０は、検出部２００Ａの検出結果に基づいて、検出部２００Ａの検出感度を設定する。検出感度は、低感度または低感度よりも感度が高い高感度に設定される。感度設定部２３０は、検出部２００Ａが人の動きを検出したとき、検出感度を高感度に設定する。感度設定部２３０は、検出感度が高感度の状態において、検出部２００Ａが人の動きを検出せずに所定期間が経過したとき、検出感度を低感度に設定する。
【０１９７】
これにより、焦電センサ２Ａでは、焦電素子２０１により人の動きを検出する際に、検出感度が、適宜高感度または低感度に設定される。したがって、焦電センサ２Ａを用いて人の動きを検出して動作する電子機器１Ｃにおいて、検出漏れ（検出すべき人の動きを検出できないこと）を低減して、人の動きを精度良く検出することが可能となる。
【０１９８】
以上のように、本開示における技術の例示として、実施の形態および変形例を説明した。そのために、添付図面および詳細な説明を提供した。
【０１９９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２００】
また、上述の実施の形態および変形例は、本開示における技術を例示するためのものであるから、特許請求の範囲またはその均等の範囲において種々の変更、置き換え、付加、省略などを行うことができる。
【産業上の利用可能性】
【０２０１】
本開示は、人の動きを検出して動作する電子機器および焦電センサに適用可能である。具体的には、テレビ等の表示装置、エアコン、扇風機、照明機器、オーディオ機器、および監視カメラ、等に本開示は適用可能である。
【符号の説明】
【０２０２】
１，１Ａ    表示装置
１Ｂ，１Ｃ    電子機器
２，２Ａ    焦電センサ
１０１    表示部
１０２    レンズ
１０３    信号処理基板
１０４    前面基板
２００，２００Ａ    検出部
２０１    焦電素子
２０２    第１のアンプ
２０３    第２のアンプ
２０４    第１のスイッチ
２０５    検出回路
２０５ａ    コンパレータ
２０５ｂ    リファレンス電圧源
２０６    タイマー
２０７    制御部
２０７Ａ    ＣＰＵ
２０８    主記憶装置
２０９    第２のスイッチ
２１０    表示用電源
２２０    温度センサ
２３０    感度設定部
ＡＤ１    第１のＡＤポート
ＡＤ２    第２のＡＤポート
【図１Ａ】
2016157723.tif 000003
【図１Ｂ】
2016157723.tif 000004
【図２】
2016157723.tif 000005
【図３】
2016157723.tif 000006
【図４】
2016157723.tif 000007
【図５】
2016157723.tif 000008
【図６】
2016157723.tif 000009
【図７】
2016157723.tif 000010
【図８】
2016157723.tif 000011
【図９】
2016157723.tif 000012
【図１０】
2016157723.tif 000013
【図１１】
2016157723.tif 000014
【図１２】
2016157723.tif 000015
【図１３】
2016157723.tif 000016
【国際調査報告】
2016157723.tif 000017
2016157723.tif 000018
2016157723.tif 000019
2016157723.tif 000020